(57)【特許請求の範囲】
【請求項１】
制御部と記憶部とを少なくとも備えたサーバ装置、および、制御部と表示部とを少なくとも備えた端末装置、を通信可能に接続したＢＩＭシステムであって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される、前記昇降機を前記建築物に設置するのに必要な昇降路スペースを規定した昇降路スペース情報を少なくとも含む作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置の前記制御部は、
前記ＢＩＭモデル内の設置予定領域へ、間口、奥行、昇降行程で規定される昇降路を模した昇降路スペースモデルを設置させる利用者の設置操作を検出するための操作画面を前記表示部に表示させる画面表示手段と、
前記画面表示手段により表示された前記操作画面を介して前記設置操作を検出した場合、前記ＢＩＭモデルから前記設置予定領域に対応する前記昇降路スペース情報を取得する昇降路スペース情報取得手段と、
前記昇降路スペース情報取得手段により取得された前記昇降路スペース情報を少なくとも含む前記作成条件を前記サーバ装置へ送信する作成条件送信手段と、
を備え、
前記画面表示手段は、
前記情報提供手段により前記サーバ装置から送信された前記ＢＩＭパーツを前記昇降路スペースに設置した状態で前記表示部に表示させることを特徴とするＢＩＭシステム。
【請求項２】
前記画面表示手段は、
前記ＢＩＭパーツを前記昇降路スペースモデルに組み込んだ状態で前記表示部に表示させることを特徴とする請求項１に記載のＢＩＭシステム。
【請求項３】
前記作成条件は、前記昇降機が設置される前記建築物に関する建物情報、および、当該昇降機の仕様に関する昇降機仕様情報を更に含み、
前記昇降機モデリング手段は、
前記端末装置から送信される、前記昇降路スペース情報、前記建物情報、および、前記昇降機仕様情報を含む前記作成条件に対応する前記ＢＩＭパーツを、前記パーツ情報記憶手段に記憶された前記パーツ情報を用いて作成することを特徴とする請求項１又は２に記載のＢＩＭシステム。
【請求項４】
前記サーバ装置の前記制御部は、
前記作成条件に基づいて、前記記憶部に記憶された所定の計算式を用いて前記昇降機に関するシミュレーションを実行する解析手段、
を更に備え、
前記情報提供手段は、
前記解析手段により実行された前記シミュレーションの結果を前記端末装置へ送信し、
前記画面表示手段は、
前記情報提供手段により前記サーバ装置から送信された前記シミュレーションの結果を前記表示部に表示させることを特徴とする請求項３に記載のＢＩＭシステム。
【請求項５】
前記サーバ装置の前記制御部は、
前記記憶部に記憶された情報が更新された場合、当該更新された情報および前記作成条件に基づいて、前記ＢＩＭパーツおよび前記シミュレーションの結果のうち少なくとも一つを更新する更新手段、
を更に備え、
前記情報提供手段は、
前記更新手段により更新された前記ＢＩＭパーツおよび前記シミュレーションの結果のうち少なくとも一つを、前記端末装置へ送信することを特徴とする請求項４に記載のＢＩＭシステム。
【請求項６】
表示部を少なくとも備えた端末装置に通信可能に接続された、制御部と記憶部とを少なくとも備えたサーバ装置であって、
前記記憶部は、
建築物のＢＩＭモデルに組込可能な昇降機のＢＩＭパーツを作成するためのパーツ情報を記憶するパーツ情報記憶手段、
を備え、
前記制御部は、
前記端末装置から送信される、前記昇降機を前記建築物に設置するのに必要な昇降路スペースを規定した昇降路スペース情報を少なくとも含む作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置において、前記ＢＩＭモデル内の設置予定領域へ、間口、奥行、昇降行程で規定される昇降路を模した昇降路スペースモデルを設置させる利用者の設置操作を検出するための操作画面が前記表示部に表示され、表示された前記操作画面を介して前記設置操作を検出した場合、前記ＢＩＭモデルから前記設置予定領域に対応する前記昇降路スペース情報が取得され、取得された前記昇降路スペース情報を少なくとも含む前記作成条件が前記サーバ装置へ送信され、前記サーバ装置から送信された前記ＢＩＭパーツが前記昇降路スペースに設置した状態で前記表示部に表示されることを特徴とするサーバ装置。
【請求項７】
サーバ装置に通信可能に接続された、制御部と表示部とを少なくとも備えた端末装置であって、
前記制御部は、
建築物のＢＩＭモデル内の設置予定領域へ、間口、奥行、昇降行程で規定される昇降路を模した昇降路スペースモデルを設置させる利用者の設置操作を検出するための操作画面を前記表示部に表示させる画面表示手段と、
前記画面表示手段により表示された前記操作画面を介して前記設置操作を検出した場合、前記設置予定領域に対応する、前記昇降機を前記建築物に設置するのに必要な昇降路スペースを規定した昇降路スペース情報を、前記ＢＩＭモデルから取得する昇降路スペース情報取得手段と、
前記昇降路スペース情報取得手段により取得された前記昇降路スペース情報を少なくとも含む作成条件を前記サーバ装置へ送信する作成条件送信手段と、
を備え、
前記画面表示手段は、
前記作成条件送信手段により前記端末装置から送信した前記作成条件に対応する、前記建築物のＢＩＭモデルに組込可能な前記昇降機のＢＩＭパーツを、前記サーバ装置から受信し、当該ＢＩＭパーツを前記昇降路スペースに設置した状態で前記表示部に表示させることを特徴とする端末装置。
【請求項８】
制御部と記憶部とを少なくとも備えたサーバ装置、および、制御部と表示部とを少なくとも備えた端末装置、を通信可能に接続したＢＩＭシステムにおいて実行される方法であって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記端末装置の前記制御部において実行される、前記ＢＩＭモデル内の設置予定領域へ、間口、奥行、昇降行程で規定される昇降路を模した昇降路スペースモデルを設置させる利用者の設置操作を検出するための操作画面を前記表示部に表示させる操作画面表示ステップと、
前記端末装置の前記制御部において実行される、前記操作画面表示ステップにて表示された前記操作画面を介して前記設置操作を検出した場合、前記設置予定領域に対応する、前記昇降機を前記建築物に設置するのに必要な昇降路スペースを規定した昇降路スペース情報を、前記ＢＩＭモデルから取得する昇降路スペース情報取得ステップと、
前記端末装置の前記制御部において実行される、前記昇降路スペース情報取得ステップにて取得された前記昇降路スペース情報を少なくとも含む作成条件を前記サーバ装置へ送信する作成条件送信ステップと、
前記サーバ装置の前記制御部において実行される、前記作成条件送信ステップにて前記端末装置から送信された前記作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記情報提供ステップにて前記サーバ装置から送信された前記ＢＩＭパーツを前記昇降路スペースに設置した状態で前記表示部に表示させる画面表示ステップと、
を含むことを特徴とする方法。
【請求項９】
表示部を少なくとも備えた端末装置に通信可能に接続された、制御部と記憶部とを少なくとも備えたサーバ装置において実行される方法であって、
前記記憶部は、
建築物のＢＩＭモデルに組込可能な昇降機のＢＩＭパーツを作成するためのパーツ情報を記憶するパーツ情報記憶手段、
を備え、
前記制御部において実行される、
前記端末装置から送信される、前記昇降機を前記建築物に設置するのに必要な昇降路スペースを規定した昇降路スペース情報を少なくとも含む作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を含み、
前記端末装置において、前記ＢＩＭモデル内の設置予定領域へ、間口、奥行、昇降行程で規定される昇降路を模した昇降路スペースモデルを設置させる利用者の設置操作を検出するための操作画面が前記表示部に表示され、表示された前記操作画面を介して前記設置操作を検出した場合、前記ＢＩＭモデルから前記設置予定領域に対応する前記昇降路スペース情報が取得され、取得された前記昇降路スペース情報を少なくとも含む前記作成条件が前記サーバ装置へ送信され、前記サーバ装置から送信された前記ＢＩＭパーツが前記昇降路スペースに設置した状態で前記表示部に表示されることを特徴とする方法。  
【請求項１０】
サーバ装置に通信可能に接続された、制御部と表示部とを少なくとも備えた端末装置において実行される方法であって、
前記制御部において実行される、
建築物のＢＩＭモデル内の設置予定領域へ、間口、奥行、昇降行程で規定される昇降路を模した昇降路スペースモデルを設置させる利用者の設置操作を検出するための操作画面を前記表示部に表示させる操作画面表示ステップと、
前記操作画面表示ステップにて表示された前記操作画面を介して前記設置操作を検出した場合、前記設置予定領域に対応する、前記昇降機を前記建築物に設置するのに必要な昇降路スペースを規定した昇降路スペース情報を、前記ＢＩＭモデルから取得する昇降路スペース情報取得ステップと、
前記昇降路スペース情報取得ステップにて取得された前記昇降路スペース情報を少なくとも含む作成条件を前記サーバ装置へ送信する作成条件送信ステップと、
前記作成条件送信ステップにて前記端末装置から送信された前記作成条件に対応する、前記建築物のＢＩＭモデルに組込可能な前記昇降機のＢＩＭパーツを、前記サーバ装置から受信し、当該ＢＩＭパーツを前記昇降路スペースに設置した状態で前記表示部に表示させる画面表示ステップと、
を含むことを特徴とする方法。
【請求項１１】
表示部を少なくとも備えた端末装置に通信可能に接続された、制御部と記憶部とを少なくとも備えたサーバ装置に実行させるためのプログラムであって、
前記記憶部は、
建築物のＢＩＭモデルに組込可能な昇降機のＢＩＭパーツを作成するためのパーツ情報を記憶するパーツ情報記憶手段、
を備え、
前記制御部において、
前記端末装置から送信される、前記昇降機を前記建築物に設置するのに必要な昇降路スペースを規定した昇降路スペース情報を少なくとも含む作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を実行させ、
前記端末装置において、前記ＢＩＭモデル内の設置予定領域へ、間口、奥行、昇降行程で規定される昇降路を模した昇降路スペースモデルを設置させる利用者の設置操作を検出するための操作画面が前記表示部に表示され、表示された前記操作画面を介して前記設置操作を検出した場合、前記ＢＩＭモデルから前記設置予定領域に対応する前記昇降路スペース情報が取得され、取得された前記昇降路スペース情報を少なくとも含む前記作成条件が前記サーバ装置へ送信され、前記サーバ装置から送信された前記ＢＩＭパーツが前記昇降路スペースに設置した状態で前記表示部に表示されることを特徴とするプログラム。
【請求項１２】
サーバ装置に通信可能に接続された、制御部と表示部とを少なくとも備えた端末装置に実行させるためのプログラムであって、
前記制御部において、
建築物のＢＩＭモデル内の設置予定領域へ、間口、奥行、昇降行程で規定される昇降路を模した昇降路スペースモデルを設置させる利用者の設置操作を検出するための操作画面を前記表示部に表示させる操作画面表示ステップと、
前記操作画面表示ステップにて表示された前記操作画面を介して前記設置操作を検出した場合、前記設置予定領域に対応する、前記昇降機を前記建築物に設置するのに必要な昇降路スペースを規定した昇降路スペース情報を、前記ＢＩＭモデルから取得する昇降路スペース情報取得ステップと、
前記昇降路スペース情報取得ステップにて取得された前記昇降路スペース情報を少なくとも含む作成条件を前記サーバ装置へ送信する作成条件送信ステップと、
前記作成条件送信ステップにて前記端末装置から送信された前記作成条件に対応する、前記建築物のＢＩＭモデルに組込可能な前記昇降機のＢＩＭパーツを、前記サーバ装置から受信し、当該ＢＩＭパーツを前記昇降路スペースに設置した状態で前記表示部に表示させる画面表示ステップと、
を実行させることを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機を建築物に設置するのに必要な昇降路スペースを検討する際は、昇降機の仕様確認、機器検討、交通計算、昇降路機器の納まり等を検討可能な技術的ノウハウを持った昇降機メーカの技術者が行う必要があった。ここで、効率的に昇降機および建築物の設計を進めるためには、昇降機メーカの技術者、建築会社の担当者、設計会社の設計者等の各業者間で技術データを共有することが望ましいが、この場合、技術データの流出を防ぐようセキュリティー面を考慮する必要がある。そこで、近年、昇降機および建築物を設計する際に、技術データの流出を防ぐことができる技術が求められていた。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機および建築物を設計する際に、技術データの流出を防ぐことができるＢＩＭシステム、サーバ装置、端末装置、方法及びプログラムを提供することである。
【課題を解決するための手段】
【０００５】
実施形態のＢＩＭシステムは、制御部と記憶部とを少なくとも備えたサーバ装置、および、制御部と表示部とを少なくとも備えた端末装置、を通信可能に接続したＢＩＭシステムである。前記サーバ装置の前記記憶部は、建築物のＢＩＭモデルに組込可能な昇降機のＢＩＭパーツを作成するためのパーツ情報を記憶するパーツ情報記憶手段、を備える。前記サーバ装置の前記制御部は、前記端末装置から送信される、前記昇降機を前記建築物に設置するのに必要な昇降路スペースを規定した昇降路スペース情報を少なくとも含む作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備える。前記端末装置の前記制御部は、前記ＢＩＭモデル内の設置予定領域へ、間口、奥行、昇降行程で規定される昇降路を模した昇降路スペースモデルを設置させる利用者の設置操作を検出するための操作画面を前記表示部に表示させる画面表示手段と、前記画面表示手段により表示された前記操作画面を介して前記設置操作を検出した場合、前記ＢＩＭモデルから前記設置予定領域に対応する前記昇降路スペース情報を取得する昇降路スペース情報取得手段と、前記昇降路スペース情報取得手段により取得された前記昇降路スペース情報を少なくとも含む前記作成条件を前記サーバ装置へ送信する作成条件送信手段と、を備え、前記画面表示手段は、前記情報提供手段により前記サーバ装置から送信された前記ＢＩＭパーツを前記昇降路スペースに設置した状態で前記表示部に表示させる。
【図面の簡単な説明】
【０００６】
【図１】図１は、建築物の設計図書およびＢＩＭモデルの一例を示す概念図である。
【図２】図２は、実施形態におけるＢＩＭシステムの構成の一例を示すブロック図である。
【図３】図３は、実施形態におけるＢＩＭシステムの基本処理の一例を示すフローチャートである。
【図４】図４は、昇降機を建築物に設置するのに必要な昇降路スペースを規定した昇降路スペース情報の一例を示す図である。
【図５】図５は、実施形態における昇降路スペース情報取得処理の一例を示すフローチャートである。
【図６】図６は、昇降路を模した昇降路スペースモデルの一例を示す図である。
【図７】図７は、ＢＩＭモデル内の設置予定領域へ昇降路スペースモデルを設置させる利用者の設置操作を説明するための図である。
【図８】図８は、昇降機が設置される建築物に関する建物情報の一例を示す図である。
【図９Ａ】図９Ａは、昇降機の仕様に関する昇降機仕様情報の一例を示す図である。
【図９Ｂ】図９Ｂは、昇降機仕様情報の別の一例を示す図である。
【図１０Ａ】図１０Ａは、昇降機を表現した簡易パースの一例を示す図である。
【図１０Ｂ】図１０Ｂは、簡易パースの別の一例を示す図である。
【図１１Ａ】図１１Ａは、ＢＩＭパーツを昇降路スペースモデルに組み込んだ状態の一例を示す図である。
【図１１Ｂ】図１１Ｂは、ＢＩＭパーツを昇降路スペースモデルに組み込んだ状態の別の一例を示す図である。
【図１２】図１２は、図１１Ｂに示した昇降路スペースモデルの断面図の一例を示す図である。
【図１３】図１３は、実施形態におけるシミュレーション実行処理の一例を示すフローチャートである。
【図１４Ａ】図１４Ａは、シミュレーション結果例として反力計算結果の一例を示す図である。
【図１４Ｂ】図１４Ｂは、シミュレーション結果例として交通計算結果の一例を示す図である。
【図１５】図１５は、実施形態における更新処理の一例を示すフローチャートである。
【図１６】図１６は、実施形態の変形例におけるＢＩＭシステムの構成の一例を示すブロック図である。
【発明を実施するための形態】
【０００７】
以下に、実施形態にかかるＢＩＭシステム、サーバ装置、端末装置、方法およびプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。
【０００９】
以下、実施形態の構成および処理について詳細に説明する。
【００１０】
［実施形態］
本実施形態について、図２乃至図１５を参照して以下に説明する。なお、本実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステムの構成］
本実施形態におけるＢＩＭシステムの構成の一例について、図２を参照して以下に説明する。図２は、本実施形態におけるＢＩＭシステムの構成の一例を示すブロック図であり、該構成のうち主要な部分のみを概念的に示している。
【００１２】
図２に示すように、本実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。図２に示すように、通信には、一例として、ネットワーク３００を介した有線・無線通信等の遠隔通信等を含む。これらＢＩＭシステムの各部は任意の通信路を介して通信可能に接続されている。
【００１３】
図２に示すように、本実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
図２において、サーバ装置２００は、端末装置１００から送信される、昇降機を建築物に設置するのに必要な昇降路スペースを規定した昇降路スペース情報を少なくとも含む作成条件に対応するＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ、計算式ファイル２０６ｂ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった構造情報の他、納期、在庫状況、据付時間、仕上げ材、耐用年数、メーカ情報、品番型番などが挙げられるが、これに限定されない。
【００１６】
より具体的には、本実施形態において、パーツ情報は、ＢＩＭパーツの動作を解析する際に用いられるＢＩＭパーツの動作パラメータを含む。動作パラメータは、昇降機の動作速度、動作パターン等を規定するパラメータである。パーツ情報は、各ＢＩＭパーツのサイズ情報を含む。ＢＩＭパーツとしては、例えば、本実施形態のように、昇降機がエレベータの場合には、乗りかご、カウンタウェイト、メインロープ、巻上機、ガイドレール、乗り場ホール関連品、機械室、制御盤、電源設備、各種配管・配線等が挙げられる。例えば、昇降機がエスカレータの場合には、ＢＩＭパーツとしては、トラス、踏段、踏段チェーン、移動手摺、乗降板、欄干、駆動装置、機械室、制御盤、電源設備、各種配管・配線等が挙げられる。パーツ情報は、ＢＩＭパーツを変更する際に用いられる設定パラメータを含む。設定パラメータは、ＢＩＭパーツのサイズ、色、材質等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
計算式ファイル２０６ｂは、昇降機に関するシミュレーションを実行する際に使用する所定の計算式を記憶する計算式記憶手段である。本実施形態において、計算式ファイル２０６ｂは、昇降機に関する反力計算および交通計算に必要な計算式を記憶する。この他、計算式ファイルは、反力計算および交通計算等のシミュレーション計算に必要な各種閾値、パラメータ、および、サンプルデータ等を記憶してもよい。
【００１８】
図２において、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、解析部２０２ｃ、情報提供部２０２ｄ、および、更新部２０２ｅを備える。
【００１９】
このうち、作成条件受信部２０２ａは、端末装置１００から送信される作成条件を受信する作成条件受信手段である。作成条件は、利用者が所望する建築物のＢＩＭモデルに組込可能な昇降機のＢＩＭパーツを作成するための条件を指定するものである。本実施形態において、作成条件受信部２０２ａは、端末装置１００から送信される、昇降機を建築物に設置するのに必要な昇降路スペースを規定した昇降路スペース情報を少なくとも含む作成条件を受信する。昇降路スペース情報は、例えば昇降機がエレベータの場合、昇降路スペースを規定する間口、奥行、および、昇降行程等の情報を含む。
【００２０】
作成条件受信部２０２ａは、端末装置１００から送信される昇降路スペース情報、昇降機が設置される建築物に関する建物情報、および、当該昇降機の仕様に関する昇降機仕様情報を含む作成条件を受信してもよい。建物情報は、建物用途、階床数、階床名、階高、フロア人員等の情報を含む。昇降路仕様情報は、例えば昇降機がエレベータの場合、かご内仕様情報および乗場仕様情報を含む。かご内仕様情報は、側板、天井、かご操作盤、副操作盤、副操作盤（横）、手すり、鏡、および、おすすめ仕様等の情報を含む。乗場仕様情報は、フェースプレート、操作ボタン、インジケーター、ランタン、警報盤、および、おすすめ仕様等の情報を含む。
【００２１】
この他、作成条件には、希望の価格、納期等を含んでもよい。作成条件は、利用者により端末装置１００において入力部１１８を介して入力されたものであってもよいし、予め作成条件が記憶された外部記憶装置（図示せず）から読み込まれたものであってもよい。
【００２２】
昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、端末装置１００から送信される、昇降路スペース情報、建物情報、および、昇降機仕様情報を含む作成条件に対応するＢＩＭパーツを、パーツ情報データベース２０６ａに記憶されたパーツ情報を用いて作成してもよい。昇降機モデリング部２０２ｂは、作成した昇降機のＢＩＭパーツを記憶部２０６に格納して、ＢＩＭパーツデータベース（図示せず）を構築してもよい。
【００２３】
解析部２０２ｃは、作成条件受信部２０２ａにより受信された作成条件に基づいて、計算式ファイル２０６ｂに記憶された所定の計算式を用いて昇降機に関するシミュレーションを実行する解析手段である。本実施形態において、解析部２０２ｃは、これに限定されないが、昇降機に関する反力計算および／または昇降機の交通計算を行って、シミュレーション結果を生成する。例えば、解析部２０２ｃは、反力計算のシミュレーションを実行する場合、建築物のＢＩＭモデルの構造情報および昇降機のＢＩＭパーツの構造情報等を取得し、これらの情報と計算式ファイル２０６ｂに記憶された情報に基づいて、反力計算を行ってもよい。解析部２０２ｃは、交通計算のシミュレーションを実行する場合、昇降機のＢＩＭパーツに含まれるパーツ情報が示すＢＩＭパーツの動作パラメータおよび計算式ファイル２０６ｂに記憶された情報に基づいて、交通計算を行ってもよい。
【００２４】
情報提供部２０２ｄは、昇降機モデリング部２０２ｂにより作成された昇降機のＢＩＭパーツを端末装置１００へ送信する情報提供手段である。情報提供部２０２ｄは、解析部２０２ｃにより実行されたシミュレーションの結果を端末装置１００へ送信してもよい。情報提供部２０２ｄは、後述する更新部２０２ｅにより更新されたＢＩＭパーツおよびシミュレーションの結果のうち少なくとも一つを、端末装置１００へ送信してもよい。
【００２５】
更新部２０２ｅは、記憶部２０６に記憶された情報（例えば、パーツ情報データベース２０６ａに記憶されたパーツ情報、計算式ファイル２０６ｂに記憶された計算式等）が更新された場合、当該更新された情報、および、作成条件受信部２０２ａにより受信された作成条件に基づいて、ＢＩＭパーツおよびシミュレーションの結果のうち少なくとも一つを更新する更新手段である。
【００２６】
［端末装置１００の構成］
図２において、端末装置１００は、サーバ装置２００から送信された昇降機のＢＩＭパーツを、昇降機を建築物に設置するのに必要な昇降路スペースに設置した状態で表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、インターネットブラウザ等を搭載していてもよく、ＢＩＭアプリケーション等を搭載していてもよい。端末装置１００は、表示部１１４と音声出力部１１６とを少なくとも含む出力部を備えていてもよい。端末装置１００は、データ入力等を行う入力部１１８を備えていてもよい。
【００２７】
図２において、表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００２８】
図２において、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００２９】
図２において、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（昇降路スペースモデルデータベース１０６ａ、ＢＩＭモデルデータベース１０６ｂ等）を格納してもよい。記憶部１０６は、各種のファイル等を一時的に記憶するものであってもよい。
【００３０】
これら記憶部１０６の各構成要素のうち、昇降路スペースモデルデータベース１０６ａは、昇降路を模した昇降路スペースモデルを記憶する昇降路スペースモデル記憶手段である。本実施形態において、昇降路スペースモデルとは、後述する制御部１０２により昇降路スペース情報を取得するための操作画面に対する設置操作の際などに利用者に用いられる昇降路の３次元形状モデルである。
【００３１】
ＢＩＭモデルデータベース１０６ｂは、建築物のＢＩＭモデルを記憶するＢＩＭモデル記憶手段である。本実施形態において、ＢＩＭモデルデータベース１０６ｂには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。
【００３２】
図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、昇降路スペース情報取得部１０２ｂ、および、画面表示部１０２ｃを備える。
【００３３】
このうち、作成条件送信部１０２ａは、利用者により入力される作成条件をサーバ装置２００へ送信する作成条件送信手段である。作成条件は、利用者が所望する建築物のＢＩＭモデルに組込可能な昇降機のＢＩＭパーツを作成するための条件を指定するものである。本実施形態において、作成条件送信部１０２ａは、昇降機を建築物に設置するのに必要な昇降路スペースを規定した昇降路スペース情報を少なくとも含む作成条件をサーバ装置２００へ送信する。作成条件送信部１０２ａは、後述する昇降路スペース情報取得部１０２ｂにより取得された昇降路スペース情報を少なくとも含む作成条件をサーバ装置２００へ送信してもよい。作成条件送信部１０２ａは、昇降路スペース情報、昇降機が設置される建築物に関する建物情報、および、当該昇降機の仕様に関する昇降機仕様情報を含む作成条件を送信してもよい。この他、作成条件には、希望の価格、納期等を含んでもよい。作成条件は、利用者により入力部１１８を介して入力されたものであってもよいし、予め作成条件が記憶された外部記憶装置（図示せず）から読み込まれたものであってもよい。
【００３４】
昇降路スペース情報取得部１０２ｂは、後述する画面表示部１０２ｃにより表示された操作画面を介して、ＢＩＭモデル内の設置予定領域へ昇降路を模した昇降路スペースモデルを設置させる利用者の設置操作を検出した場合、ＢＩＭモデルから設置予定領域に対応する昇降路スペース情報を取得する昇降路スペース情報取得手段である。
【００３５】
画面表示部１０２ｃは、サーバ装置２００から送信されたＢＩＭパーツを昇降路スペースに設置した状態で表示部１１４に表示させる画面表示手段である。つまり、画面表示部１０２ｃは、ＢＩＭパーツを昇降路スペースモデルに組み込んだ状態で表示部１１４に表示させる。画面表示部１０２ｃは、ＢＩＭモデル内の設置予定領域へ昇降路を模した昇降路スペースモデルを設置させる利用者の設置操作を検出するための操作画面を表示部１１４に表示させてもよい。画面表示部１０２ｃは、サーバ装置２００から送信されたシミュレーションの結果を表示部１１４に表示させてもよい。
【００３６】
この他、端末装置１００の制御部１０２は、サーバ装置２００から送信された昇降機のＢＩＭパーツを、ＢＩＭモデルデータベース１０６ｂに記憶された建築物のＢＩＭモデルに組み込んだ統合ＢＩＭモデルを作成する統合モデリング手段を備えていてもよい。制御部１０２は、統合モデリング手段により作成された統合ＢＩＭモデルを含むレイアウト画面を生成する画面生成手段を備えていてもよい。そして、画面表示部１０２ｃは、画面生成手段により生成されたレイアウト画面を表示部１１４に表示させてもよい。更に、制御部１０２は、画面表示手段により表示されたレイアウト画面上でＢＩＭパーツを変更する変更手段を備えていてもよい。具体的には、変更手段は、利用者により入力される変更条件に応じてＢＩＭパーツに含まれるパーツ情報の設定パラメータを変更することで、当該ＢＩＭパーツを変更する。
【００３７】
以上で、本実施形態におけるＢＩＭシステムの構成の一例の説明を終える。
【００３８】
［ＢＩＭシステムの処理］
次に、このように構成された本実施形態におけるＢＩＭシステムの処理の一例について、以下に図３乃至図１５を参照して詳細に説明する。
【００３９】
まず、図３から図１２を参照して、ＢＩＭシステムの基本処理について説明する。図３は、本実施形態におけるＢＩＭシステムの基本処理の一例を示すフローチャートである。図４は、昇降機を建築物に設置するのに必要な昇降路スペースを規定した昇降路スペース情報の一例を示す図である。図５は、本実施形態における昇降路スペース情報取得処理の一例を示すフローチャートである。図６は、昇降路を模した昇降路スペースモデルの一例を示す図である。図７は、ＢＩＭモデル内の設置予定領域へ昇降路スペースモデルを設置させる利用者の設置操作を説明するための図である。図８は、昇降機が設置される建築物に関する建物情報の一例を示す図である。図９Ａは、昇降機の仕様に関する昇降機仕様情報の一例を示す図である。図９Ｂは、昇降機仕様情報の別の一例を示す図である。図１０Ａは、昇降機を表現した簡易パースの一例を示す図である。図１０Ｂは、簡易パースの別の一例を示す図である。図１１Ａは、ＢＩＭパーツを昇降路スペースモデルに組み込んだ状態の一例を示す図である。図１１Ｂは、ＢＩＭパーツを昇降路スペースモデルに組み込んだ状態の別の一例を示す図である。図１２は、図１１Ｂに示した昇降路スペースモデルの断面図の一例を示す図である。
【００４０】
図３に示すように、端末装置１００の作成条件送信部１０２ａは、昇降機を建築物に設置するのに必要な昇降路スペースを規定した昇降路スペース情報を少なくとも含む作成条件をサーバ装置２００へ送信する（ステップＳＡ−１）。昇降路スペース情報は、一例として、図４に示すように、例えば昇降機がエレベータの場合、昇降路スペースを規定する間口（図４において、「２２００．０（ｍｍ）」）、奥行（図４において、「２４００．０（ｍｍ）」）、および、昇降行程（図４において、「９６００．０（ｍｍ）」）等の情報を含む。
【００４１】
ステップＳＡ−１において、作成条件送信部１０２ａは、図３に示すように、昇降路スペース情報取得部１０２ｂの処理により取得された昇降路スペース情報を少なくとも含む作成条件をサーバ装置２００へ送信してもよい。ここで、図５〜図７を参照して、昇降路スペース情報取得処理の一例について説明する。
【００４２】
図５に示すように、端末装置１００の画面表示部１０２ｃは、図７に示すようなＢＩＭモデル内の設置予定領域へ、図６に示すような昇降路を模した昇降路スペースモデルを設置させる利用者の設置操作を検出するための操作画面を表示部１１４に表示させる（ステップＳＢ−１）。操作画面は、予めサーバ装置２００から送信されるものであってもよいし、端末装置１００側で生成したものであってもよい。
【００４３】
端末装置１００の制御部１０２は、ステップＳＢ−１にて画面表示部１０２ｃの処理により表示された操作画面を介して設置操作を検出したか否かを判定する（ステップＳＢ−２）。
【００４４】
端末装置１００の制御部１０２は、ステップＳＢ−２にて設置操作を検出していないと判定した場合（ステップＳＢ−２：Ｎｏ）、ステップＳＢ−１の処理へ戻る。一方、端末装置１００の昇降路スペース情報取得部１０２ｂは、ステップＳＢ−２にて制御部１０２の処理により設置操作を検出したと判定された場合（ステップＳＢ−２：Ｙｅｓ）、ＢＩＭモデルから設置予定領域に対応する昇降路スペース情報を取得する（ステップＳＢ−３）。例えば、昇降路スペース情報取得部１０２ｂは、図７に示すようなＢＩＭモデル内の設置予定領域へ、図６に示すような昇降路スペースモデルを設置させる利用者の設置操作が検出されると、昇降路スペースモデルとＢＩＭモデルの壁位置や梁位置との位置関係を判断して、設置予定領域に昇降路スペースモデルを設置するのに必要な昇降路スペースを規定した昇降路スペース情報（図６に示すように、昇降路の間口、奥行、昇降行程の情報）を取得する。その後、図３のステップＳＡ−１の処理へ移行する。
【００４５】
図３に戻り、ステップＳＡ−１の処理から説明を続ける。ステップＳＡ−１において、作成条件送信部１０２ａは、昇降路スペース情報、図８に示すような昇降機が設置される建築物に関する建物情報、および、図９Ａおよび図９Ｂに示すような当該昇降機の仕様に関する昇降機仕様情報を含む作成条件を送信してもよい。一例として、図８に示す建物情報では、利用者により建物用途として「集合住宅」が選択されており、階床数として「６（階）」が選択されている。更に、図８の下部の「階高」の項目に示すように、階床名「１Ｆ」では、階高「４５００（ｍｍ）」、フロア人員「０（人）」と設定され、階床名「２Ｆ」から「６Ｆ」では、階高「４０００（ｍｍ）」、フロア人員「２０（人）」と設定されている。なお、これらの建物情報は、端末装置１００の制御部１０２の処理により、昇降機が設置される建築物のＢＩＭモデルに含まれる属性情報から自動取得することもできる。
【００４６】
一例として、例えば昇降機がエレベータの場合、図９Ａに示す昇降機仕様情報のかご内仕様情報は、利用者により建物用途として「オフィス」が選択された場合の情報を示している。具体的には、図９Ａのかご内仕様情報では、側板が「木調シート」、天井が「ライトシェード」、かご操作盤が「ステンレス製ヘアライン仕上」、副操作盤が「なし」、副操作盤（横）が「車いす専用操作盤」、手すりが「木製手すり２方向」、鏡が「フルハイトミラー」に設定されている。図９Ｂに示す昇降機仕様情報の乗場仕様情報は、利用者により建物用途として「オフィス」が選択された場合の情報を示している。具体的には、図９Ｂの乗場仕様情報では、フェースプレートが「ステンレス製ヘアライン仕上」、操作ボタンが「クリックタッチボタン」、インジケーターが「なし」、ランタンが「ホールランタン」、警報盤が「なし」に設定されている。なお、これらの昇降機仕様情報は、利用者により入力部１１８を介して入力されたものであってもよいし、利用者が選択した建物用途に応じて基本仕様が自動入力されたものであってもよい。この他、昇降機仕様情報は、端末装置１００の制御部１０２の処理により表示部１１４に表示される、図１０Ａおよび図１０Ｂに示すような昇降機を表現した簡易パースから、利用者が各パーツ等を選択することで設定されたものであってよい。
【００４７】
再び図３に戻り、ステップＳＡ−２の処理から説明を続ける。サーバ装置２００の作成条件受信部２０２ａは、ステップＳＡ−１にて作成条件送信部１０２ａの処理により送信される作成条件を受信する（ステップＳＡ−２）。
【００４８】
サーバ装置２００の昇降機モデリング部２０２ｂは、ステップＳＡ−２にて作成条件受信部２０２ａの処理により受信された昇降路スペース情報を少なくとも含む作成条件に対応する昇降機のＢＩＭパーツを、パーツ情報データベース２０６ａに記憶されたパーツ情報を用いて作成する（ステップＳＡ−３）。
【００４９】
サーバ装置２００の情報提供部２０２ｄは、ステップＳＡ−３にて昇降機モデリング部２０２ｂの処理により作成された昇降機のＢＩＭパーツを端末装置１００へ送信する（ステップＳＡ−４）。
【００５０】
端末装置１００の制御部１０２は、ステップＳＡ−４にて情報提供部２０２ｄの処理により送信された昇降機のＢＩＭパーツを受信する（ステップＳＡ−５）。
【００５１】
端末装置１００の画面表示部１０２ｃは、ステップＳＡ−５にて制御部１０２の処理により受信された単数または複数の昇降機のＢＩＭパーツを、昇降路スペースに設置した状態で表示部１１４に表示させる（ステップＳＡ−６）。つまり、ステップＳＡ−６において、図１１Ａ、図１１Ｂおよび図１２に示すように、画面表示部１０２ｃは、ＢＩＭパーツを昇降路スペースモデルに組み込んだ状態で表示部１１４に表示させる。一例として、図１１Ａに示すような昇降路スペースモデルでは、ＢＩＭパーツとして、乗りかご、ガイドレール、カウンタウェイトが組み込まれている。図１１Ｂに示すような昇降路スペースモデルでは、ＢＩＭパーツとして、乗りかご、ガイドレール、カウンタウェイトに加え、更に、乗り場ドアが組み込まれている。図１２は、図１１Ｂの昇降路スペースモデルを２次元表示した場合を示している。
【００５２】
図３に示した例では、サーバ装置２００側で作成したＢＩＭパーツを端末装置１００側で昇降路スペースモデルに組み込んだ状態で表示させる基本処理について説明したが、本実施形態のＢＩＭシステムは、サーバ各装置２００側で実行した各種シミュレーション結果を端末装置１００側で表示させる処理を実行してもよい。なお、本実施形態のＢＩＭシステムは、以下に示すシミュレーション実行処理を上述した基本処理と並行して実行してもよいし、単独で実行してもよい。
【００５３】
ここで、図１３〜図１４Ｂを参照して、シミュレーション実行処理の一例について説明する。図１３は、本実施形態におけるシミュレーション実行処理の一例を示すフローチャートである。図１４Ａは、シミュレーション結果例として反力計算結果の一例を示す図である。図１４Ｂは、シミュレーション結果例として交通計算結果の一例を示す図である。
【００５４】
図１３に示すように、端末装置１００の作成条件送信部１０２ａは、昇降路スペース情報、建物情報、および、昇降機仕様情報を含む作成条件を送信する（ステップＳＣ−１）。
【００５５】
サーバ装置２００の作成条件受信部２０２ａは、ステップＳＣ−１にて作成条件送信部１０２ａの処理により送信される作成条件を受信する（ステップＳＣ−２）。
【００５６】
サーバ装置２００の解析部２０２ｃは、ステップＳＣ−２にて作成条件受信部２０２ａの処理により受信された作成条件に基づいて、計算式ファイル２０６ｂに記憶された所定の計算式を用いて昇降機に関するシミュレーションを実行する（ステップＳＣ−３）。本実施形態では、ステップＳＣ−３において、解析部２０２ｃは、これに限定されないが、昇降機に関する反力計算および／または昇降機の交通計算を行って、シミュレーション結果を生成する。
【００５７】
例えば、解析部２０２ｃは、反力計算のシミュレーションを実行する場合、建築物のＢＩＭモデルの構造情報および昇降機のＢＩＭパースの構造情報等を取得し、これらの情報と計算式ファイル２０６ｂに記憶された情報に基づいて、反力計算を行うことで、図１４Ａに示すような反力計算結果を生成する。例えば、図１４Ａに示す反力計算結果では、レール作用荷重、ピット衝撃荷重、ピット反力の値がシミュレーションされている。また、解析部２０２ｃは、交通計算のシミュレーションを実行する場合、昇降機のＢＩＭパーツに含まれるパーツ情報が示すＢＩＭパーツの動作パラメータおよび計算式ファイル２０６ｂに記憶された情報に基づいて、交通計算を行うことで、図１４Ｂに示すような交通計算結果を生成する。例えば、図１４Ｂに示す交通計算結果では、図上部に示すような、建物用途、エレベータ計画機種、計算条件、サービス判定基準といった条件に基づいて、図下部に示すように、計算結果および考察がシミュレーションされている。この他、解析部２０２ｃは、消費エネルギー係数（ＣＥＣ／ＥＶ）等のシミュレーションの結果を生成してもよい。
【００５８】
サーバ装置２００の情報提供部２０２ｄは、ステップＳＣ−３にて解析部２０２ｃの処理により実行されたシミュレーションの結果（例えば、図１４Ａに示すような反力計算結果、および／または、図１４Ｂに示すような交通計算結果等）を端末装置１００へ送信する（ステップＳＣ−４）。
【００５９】
端末装置１００の制御部１０２は、ステップＳＣ−４にて情報提供部２０２ｄの処理により送信されたシミュレーションの結果を受信する（ステップＳＣ−５）。
【００６０】
端末装置１００の画面表示部１０２ｃは、ステップＳＣ−５にて制御部１０２の処理により受信されたシミュレーションの結果を表示部１１４に表示させる（ステップＳＣ−６）。
【００６１】
このように、本実施形態のＢＩＭシステムによれば、昇降機のＢＩＭパーツのモデリング、および／または、各種シミュレーション等はサーバ装置２００側で実行し、それらの計算結果を端末装置１００側へ送信して表示させる処理を実行するので、昇降機設計や各種シミュレーションに関する技術データの流出を防ぐことができる。また、本実施形態のＢＩＭシステムによれば、各業者間では、重要な技術データを含まない昇降路スペースモデルを共有し、当該昇降路スペースモデルに設置可能なようにモデリングされた昇降機のＢＩＭパーツや当該昇降機に関するシミュレーションの結果を表示させることができるので、技術データの流出を防ぐようセキュリティー面を考慮しつつ、効率的に昇降機および建築物の設計を進めることが可能となる。
【００６２】
ここで、利用者は、昇降機のＢＩＭパーツや当該昇降機に関するシミュレーションの結果を取得後も、最新の情報を反映させた再計算結果を自動取得できることが望ましい。そこで、本実施形態のＢＩＭシステムでは、図１５に示すように、サーバ装置２００に記憶された情報が更新されると、送信済みの作成条件に対応するＢＩＭパーツやシミュレーションを再計算して、最新の情報を反映させた再計算結果を端末装置１００へ送信する処理を行う。図１５は、更新処理実施形態における更新処理の一例を示すフローチャートである。
【００６３】
図１５に示すように、サーバ装置２００の制御部２０２は、記憶部２０６に記憶された情報（例えば、パーツ情報データベース２０６ａに記憶されたパーツ情報、計算式ファイル２０６ｂに記憶された計算式等）が更新されたか否かを判定する（ステップＳＤ−１）。
【００６４】
サーバ装置２００の制御部２０２は、ステップＳＤ−１にて記憶部２０６に記憶された情報（例えば、パーツ情報データベース２０６ａに記憶されたパーツ情報、計算式ファイル２０６ｂに記憶された計算式等）が更新されていないと判定した場合（ステップＳＤ−１：Ｎｏ）、ステップＳＤ−１の処理へ戻る。一方、サーバ装置２００の更新部２０２ｅは、ステップＳＤ−１にて制御部２０２の処理により記憶部２０６に記憶された情報が更新されたと判定された場合（ステップＳＤ−１：Ｙｅｓ）、当該更新された情報、および、作成条件受信部２０２ａの処理により予め受信された作成条件に基づいて、ＢＩＭパーツおよびシミュレーションの結果のうち少なくとも一つを再計算して更新する（ステップＳＤ−２）。
【００６５】
サーバ装置２００の情報提供部２０２ｄは、ステップＳＤ−２にて更新部２０２ｅの処理により更新されたＢＩＭパーツおよびシミュレーションの結果のうち少なくとも一つを含む再計算結果を、端末装置１００へ送信する（ステップＳＤ−３）。
【００６６】
端末装置１００の制御部１０２は、ステップＳＤ−３にて情報提供部２０２ｄの処理によりサーバ装置２００から送信される、更新されたＢＩＭパーツおよびシミュレーションの結果のうち少なくとも一つを含む再計算結果を受信する（ステップＳＤ−４）。
【００６７】
端末装置１００の画面表示部１０２ｃは、ステップＳＤ−４にて制御部１０２の処理により受信された再計算結果を表示部１１４に表示させる（ステップＳＤ−５）。
【００６８】
このように、本実施形態のＢＩＭシステムによれば、昇降機のＢＩＭパーツや当該昇降機に関するシミュレーションの結果を取得後も、最新の情報を反映させた再計算結果を自動取得できる。
【００６９】
以上で、本実施形態におけるＢＩＭシステムの処理の一例の説明を終える。
【００７０】
［変形例］
本実施形態の変形例について、図１６を参照して以下に説明する。ここで、図１６は、本実施形態の変形例におけるＢＩＭシステムの構成の一例を示すブロック図であり、該構成のうち本実施形態に関係する部分のみを概念的に示している。
【００７１】
上述した実施形態のＢＩＭシステムでは、サーバ装置２００側の記憶部２０６にパーツ情報データベース２０６ａ、計算式ファイル２０６ｂを備え、端末装置１００側の記憶部１０６に昇降路スペースモデルデータベース１０６ａおよびＢＩＭモデルデータベース１０６ｂを備えた例について説明したが、図１６に示すように、各種モデリングおよびシミュレーションに必要な情報をサーバ装置２００側に集約してもよい。
【００７２】
図１６に示すように、サーバ装置２００の記憶部２０６は、パーツ情報データベース２０６ａ、計算式ファイル２０６ｂ、昇降路スペースモデルデータベース２０６ｃ、および、ＢＩＭモデルデータベース２０６ｄを備える。各データベースおよびファイルが記憶する情報は、図２に示した内容と同様であるため説明を省略する。サーバ装置２００の制御部２０２は、作成条件受信部２０２ａ、昇降機モデリング部２０２ｂ、解析部２０２ｃ、情報提供部２０２ｄ、更新部２０２ｅ、昇降路スペース情報取得部２０２ｆ、および、画面生成部２０２ｇを備える。つまり、図１６に示す変形例では、昇降路スペース情報取得部２０２ｆおよび画面生成部２０２ｇをサーバ装置２００側に備えている点が図２に示した例とは異なる。このように、本変形例のＢＩＭシステムは、サーバ装置２００側で、ＢＩＭパーツを組み込んだ昇降路スペースモデルや各種シミュレーション結果を含む画面を生成して、端末装置１００へ送信することで表示させる制御を行うものである。
【００７３】
なお、本変形例のＢＩＭシステムは、図１６に示すように、ネットワーク３００を介して外部のデータベース装置４００に接続して、ＢＩＭモデルデータベース４０６ａからＢＩＭモデルを取得してもよい。データベース装置４００は、データベースサーバとして機能し、記憶部４０６のＢＩＭモデルデータベース４０６ａに記憶される最新のＢＩＭモデルを、ネットワーク３００を介して提供する。これにより、サーバ装置２００の制御部２０２は、定期的にデータベース装置４００にアクセスし、記憶部２０６のＢＩＭモデルデータベース２０６ｄに記憶されるＢＩＭモデルを最新の状態に更新することができる。
【００７４】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７５】
例えば、上述の実施形態では、昇降機としてエレベータを例について説明したが、エスカレータ、動く歩道等の乗客コンベアについても同様に本発明を適用できる。
【００７６】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７７】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００７８】
また、端末装置１００およびサーバ装置２００に関して、図示の各構成要素は機能概念的なものであり、必ずしも物理的に図示の如く構成されていることを要しない。
【００７９】
例えば、端末装置１００およびサーバ装置２００の各装置が備える処理機能、特に制御部１０２および制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００およびサーバ装置２００に機械的に読み取られる。すなわち、ＲＯＭまたはＨＤＤなどの記憶部１０６および記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００８０】
また、このコンピュータプログラムは、端末装置１００およびサーバ装置２００に対して任意のネットワーク３００を介して接続されたアプリケーションプログラムサーバに記憶されていてもよく、必要に応じてその全部または一部をダウンロードすることも可能である。
【００８１】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【００８２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００８３】
記憶部１０６および記憶部２０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００８４】
また、端末装置１００およびサーバ装置２００は、既知のパーソナルコンピュータ、ワークステーション等の情報処理装置として構成してもよく、また、該情報処理装置に任意の周辺装置を接続して構成してもよい。また、端末装置１００およびサーバ装置２００は、該情報処理装置に本発明の方法を実現させるソフトウェア（プログラム、データ等を含む）を実装することにより実現してもよい。
【００８５】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【００８６】
以上で説明した実施形態、変形例に係るＢＩＭシステム、サーバ装置、端末装置、方法及びプログラムによれば、昇降機および建築物を設計する際に、技術データの流出を防ぐことができる。
【符号の説明】
【００８７】
１００  端末装置
１０２  制御部
１０２ａ  作成条件送信部
１０２ｂ  昇降路スペース情報取得部
１０２ｃ  画面表示部
１０４  通信制御インターフェース部
１０６  記憶部
１０６ａ  昇降路スペースモデルデータベース
１０６ｂ  ＢＩＭモデルデータベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  解析部
２０２ｄ  情報提供部
２０２ｅ  更新部
２０４  通信制御インターフェース部
２０６  記憶部
２０６ａ  パーツ情報データベース
２０６ｂ  計算式ファイル
２０６ｃ  昇降路スペースモデルデータベース
２０６ｄ  ＢＩＭモデルデータベース
３００  ネットワーク
【図１】
0005518945.tif 000002
【図２】
0005518945.tif 000003
【図３】
0005518945.tif 000004
【図４】
0005518945.tif 000005
【図５】
0005518945.tif 000006
【図６】
0005518945.tif 000007
【図７】
0005518945.tif 000008
【図８】
0005518945.tif 000009
【図９Ａ】
0005518945.tif 000010
【図９Ｂ】
0005518945.tif 000011
【図１０Ａ】
0005518945.tif 000012
【図１０Ｂ】
0005518945.tif 000013
【図１１Ａ】
0005518945.tif 000014
【図１１Ｂ】
0005518945.tif 000015
【図１２】
0005518945.tif 000016
【図１３】
0005518945.tif 000017
【図１４Ａ】
0005518945.tif 000018
【図１４Ｂ】
0005518945.tif 000019
【図１５】
0005518945.tif 000020
【図１６】
0005518945.tif 000021